(57)【要約】      （修正有）【課題】工作が精度良く且つ綺麗に行える美粧段ボールシートを提供する。【解決手段】互いに間隔を離して上下に位置する二枚のライナ２ｂと、そのライナ２ｂの間に設けられた中芯とを備え、一方のライナの外面（装飾面）に装飾用の模様を施すか又は単色に着色し、もう一方のライナ２ｂの外面（工作補助面６）に同一形状の方眼７を縦横方向に連続配置してなる。この美粧段ボールシート１によれば、一方のライナ２ｂに同一形状の方眼７を縦横方向に連続配置したため、その方眼７を使って簡単に正確な線を引くことができる。従って、美粧段ボールシート１の裏面に折曲げや切抜きのためのガイド線を精度良く手書きし、そのガイド線に沿って切り抜くことができるため、正確な寸法の工作品を作ることができ、しかもその外面は、美粧段ボールシート１の装飾等で綺麗に仕上がっているため、色塗りや紙貼りの手間も掛からない。【選択図】図２
0003210947.tif 000002
【実用新案登録請求の範囲】
【請求項１】
互いに間隔を離して上下に位置する二枚のライナと、
そのライナの間に設けられた中芯と、を備え、
一方のライナの外面に装飾用の模様を施すか又は単色に着色し、
もう一方のライナの外面に同一形状の方眼を縦横方向に連続配置してなることを特徴とする美粧段ボールシート。
【請求項２】
前記方眼は、平行な縦線群と平行な横線群とを直交させて枠を形成したものであることを特徴とする請求項１記載の美粧段ボールシート。
【請求項３】
前記方眼は、コーナーにマークを配置してドット状に表示したものであることを特徴とする請求項１記載の美粧段ボールシート。
【請求項４】
一部の方眼に対して、その方眼の枠内の全部又は一部に着色を施すことにより、方眼を有するライナの外面に模様を形成してなることを特徴とする請求項１〜３の何れか１項に記載の美粧段ボールシート。
【考案の詳細な説明】
【技術分野】
【０００１】
本考案は、中芯の上下に位置するライナの一方の外面を綺麗に加工してなる美粧段ボールシートに関する。
【背景技術】
【０００２】
波形の中芯の上下両面にライナを貼着してなる段ボールシートは周知であり、また、その段ボールシートの一方のライナの外面に模様等を印刷してなるいわゆる美粧段ボールシートも敢えて文献を挙げるまでもなく周知である。
【考案の概要】
【考案が解決しようとする課題】
【０００３】
段ボールシートは、軽量でありながら強度に優れ、また、裁断や着色が容易である、等の特徴を有するため、教育施設や介護施設などの工作に用いられることが多い。
このような工作に美粧段ボールシートを使用すれば、ライナの外面に施された模様等により見栄えの良いものが出来るが、そもそも美粧段ボールシートは、主に包装箱等の工業用の用途に使われていて殆ど市販されていない。
そのため一般の人が段ボールシートで工作品を作るには、不要な段ボール箱を解体し、一方のライナに工作品を切り抜き或は折り曲げるためのガイド線を手書きし、そのガイド線に沿って段ボールシートをカッターナイフ等で切り抜いた後、それを組み立ててその外面に着色するか又は色紙や模様紙を貼って仕上げる、という工程を要するが、段ボールシートの裏面にガイド線を手書きする作業は困難性が高くて角度や長さの精度が出しにくく、また、組み立てた後の色塗りや紙貼り等をする作業にも手間が掛かり尚且つ綺麗に仕上げることも難しい、等の問題点があった。
【０００４】
本考案は上記に鑑みなされたもので、その目的は、段ボールシートによる工作が精度良く且つ綺麗に行えるようにすることにある。
【課題を解決するための手段】
【０００５】
上記の目的を達成するため本考案は、
互いに間隔を離して上下に位置する二枚のライナと、
そのライナの間に設けられた中芯と、を備え、
一方のライナの外面に装飾用の模様を施すか又は単色に着色し、
もう一方のライナの外面に同一形状の方眼を縦横方向に連続配置してなる美粧段ボールシートを提供する。
【０００６】
また、請求項２に記載したように、前記方眼は、平行な縦線群と平行な横線群とを直交させて枠を形成したものである請求項１記載の美粧段ボールシートを提供する。
【０００７】
また、請求項３に記載したように、前記方眼は、コーナーにマークを配置してドット状に表示したものである請求項１記載の美粧段ボールシートを提供する。
【０００８】
また、請求項４に記載したように、一部の方眼に対して、その方眼の枠内の全部又は一部に着色を施すことにより、方眼を有するライナの外面に模様を形成してなる請求項１〜３の何れか１項に記載の美粧段ボールシートを提供する。
【考案の効果】
【０００９】
本考案の美粧段ボールシートによれば、装飾的なライナの反対側のライナに同一形状の方眼を縦横方向に連続配置したため、その方眼を使って簡単に正確な線を引くことができる。したがって、美粧段ボールシートの裏面に折り曲げや切り抜きのためのガイド線を精度良く手書きし、そのガイド線に沿って切り抜くことができるため、正確な寸法の工作品を作ることができる。しかも、工作品の外面は、美粧段ボールシートの装飾等で綺麗に仕上がっているため、色塗りや紙貼りの手間も掛からない。
【００１０】
また、請求項３の方眼は、コーナーに配置したマークによってドット状に表示されているため、方眼としての作図補助機能とドット状の模様に見える装飾機能とを併せ持つため、仮に方眼が工作品の外面に露出したとしても、装飾性を低下させるおそれが少ない。
【００１１】
同様に請求項４に記載の美粧段ボールシートは、一部の方眼に対して、その方眼の枠内の全部又は一部に着色を施すことにより例えば市松模様のような模様が形成されるようにしたため、仮に方眼が工作品の外面に露出したとしても、装飾性を低下させるおそれが少ない。
【図面の簡単な説明】
【００１２】
【図１】美粧段ボールシートの表面図である。
【図２】美粧段ボールシートの裏面図である。
【図３】美粧段ボールシートを拡大して示す一部平面図である。
【図４】方眼の他の形態を示すもので、美粧段ボールシートを拡大して示す一部裏面図である。
【図５】方眼の他の形態を示すもので、美粧段ボールシートを拡大して示す一部裏面図である。
【図６】工作用のガイド線を描いた状態を示す美粧段ボールシートの裏面図である。
【考案を実施するための形態】
【００１３】
以下に本考案の実施の形態を図面を参照しつつ説明する。
実施形態の美粧段ボールシート１は、図３に示したように、互いに間隔を離して上下に位置する二枚のライナ２ａ，２ｂと、そのライナ２ａ，２ｂの間に設けられた波形の中芯３と、からなり、紙製の中芯３の両面に紙製のライナ２ａ，２ｂが適宜な接着剤で貼り付けられている。
【００１４】
前記ライナ２ａ，２ｂのうち一方のライナ２ａの外面（以下、「装飾面」ともいう。）４には、装飾用の模様５が既存の適宜な方式により印刷されている。ここで言う模様５には、装飾面４を単に二色以上に色分けするものも含まれる。また、ライナ２ａの装飾面４は、模様５に代えて単色に着色するものであってもよい。
【００１５】
前記ライナ２ａ，２ｂのもう一方のライナ２ｂの外面（以下、「工作補助面」ともいう。）６には、縦横方向に連続配置された同一形状の方眼７，７…が既存の適宜な方式により印刷されている。
図２に示した方眼７，７…は、縦方向の実線と破線を５ｍｍ間隔で交互に平行に並べた縦線群７ａと、同じく横方向の実線と破線を５ｍｍ間隔で交互に平行に並べた横線群７ｂと、を直交させて一辺が５ｍｍの正方形の枠を紙面全体に形成したものである。
【００１６】
また、図４の方眼７，７…は、前記枠のコーナーにマーク８を配置してドット状に表示したものである。マーク８の形状は、正方形を４５度回転させた形のごく小さい菱形であり、さらに図２の実線同士の交点に相当する部分を白抜きで、それ以外の部分を塗り潰して表示している。これにより５ｍｍ間隔或は１０ｍｍ間隔が直感的に認識できるようになっている。なお、マーク８の形状は、実施形態の菱形に限定されず、丸はもちろん、それ以外の形状でももちろんよい。
このように方眼７，７…を小さなマーク８でドット状に表示することにより、工作補助面６にドット模様が施されているようにも見えるため、仮に工作補助面６が工作品の外面の一部に露出しても装飾性を低下させるおそれが少ない。
【００１７】
また、図５の方眼７，７…は、多数の中の一部に対して、枠内の全部又は一部に着色を施すことにより、工作補助面６に模様が形成されるようにしたものである。実施形態の工作補助面６は、一部の方眼７，７…の枠内を市松模様状に着色したものである。もちろん、一つ置きの方眼７，７…の枠内の全部を着色することにより工作補助面６全体に市松模様が形成されるようにしてもよい。
【００１８】
本考案の美粧段ボールシート１は以上のように構成されているため、例えば工作品として箱を作る場合、まず、図６に示したように工作補助面６の方眼７，７…を活用しながら定規等でガイド線９を手書きして工作品の展開図を作成する。そして、そのガイド線９に沿って美粧段ボールシート１をカッターナイフ等でカットし、折り曲げ位置を示すガイド線９に沿って折り曲げて組み立てた後、コーナー部分を接着して仕上げる。これにより外面が美粧段ボールシート１の装飾面４で木目調に飾られた紙箱ができる。
【００１９】
以上、本考案を実施の形態について説明したが、もちろん本考案は上記実施形態に限定されるものではない。例えば、実施形態では中芯３を一層にしたが、複数の中芯３，３を、それぞれの間にシートを挟むようにして多層に積み重ねるようにしてもよい。
また、実施形態では、方眼７を５ｍｍ角で形成したが、そのサイズは自由であり、１ｍｍ角や２ｍｍ角などにしてもよい。
【符号の説明】
【００２０】
１  …美粧段ボールシート
２ａ，２ｂ  …ライナ
３  …中芯
４  …装飾面４（ライナ２ａの外面）
５  …模様
６  …工作補助面（ライナ２ｂの外面）
７  …方眼
７ａ  …縦線群
７ｂ  …横線群
８  …マーク
【図１】
0003210947.tif 000003
【図２】
0003210947.tif 000004
【図３】
0003210947.tif 000005
【図４】
0003210947.tif 000006
【図５】
0003210947.tif 000007
【図６】
0003210947.tif 000008